(57)【要約】【課題】耐摩耗性を向上させ、表面平滑性及びマーキング特性を向上させると共に、経糸と緯糸のバランスを調整することにより、長寿命の工業用二層織物を提供する。【解決手段】本発明に係る工業用二層織物は、上面側経糸と上面側緯糸とからなる上面側織物と、下面側経糸と下面側緯糸とからなる下面側織物とを接結糸によって接合する工業用織物であって、前記上面側経糸の線径は全て同一であり、前記下面側経糸の線径は全て同一であり、更に前記上面側経糸より下面側経糸の線径が大きく、前記上面側経糸のうち少なくとも一本以上が前記下面側緯糸と織り合うことにより前記上面側織物と下面側織物を接合する接結糸を構成することを特徴とする。【選択図】図１
2018047217.tif 000002
【特許請求の範囲】
【請求項１】
上面側経糸と上面側緯糸とからなる上面側織物と、下面側経糸と下面側緯糸とからなる下面側織物とを接結糸によって接合する工業用織物において、前記上面側経糸の線径は全て同一であり、前記下面側経糸の線径は全て同一であり、更に前記上面側経糸より下面側経糸の線径が大きく、前記上面側経糸のうち少なくとも一本以上が前記下面側緯糸と織り合うことにより前記上面側織物と下面側織物を接合する接結糸を構成することを特徴とする工業用二層織物。
【請求項２】
前記上面側経糸と下面側経糸が、以下の数式の範囲内の線径差を有することを特徴とする請求項１に記載された工業用二層織物。
［数１］
下面側経糸の線径（φ）／上面側経糸の線径（φ）＝１＜φ≦２
【請求項３】
前記下面側経糸と下面側緯糸が、以下の数式の範囲内における線径差を有することを特徴とする請求項１又は２に記載された工業用二層織物。
［数２］
下面側緯糸の線径（φ）／下面側経糸の線径（φ）＝１＜φ≦２．５
【発明の詳細な説明】
【技術分野】
【０００１】
本発明は、耐摩耗性を向上させると共に、表面平滑性及びマーキング特性を向上させ、更に経糸と緯糸のバランスを調整することにより長寿命の織物を提供する工業用二層織物に関する。
【背景技術】
【０００２】
従来から工業用二層織物としては、経糸、緯糸で製織したものが広く使用されている。例えば、工業用織物は製紙用織物や搬送用ベルト、ろ布等として使用され、用途や使用環境に適した織物特性が要求されている。中でも織物の網目を利用して原料の脱水等を行う製紙工程で使用される抄紙用織物における要求特性は特に厳しい。
かかる織物の要求特性としては、支持される紙に対して織物のワイヤーマークが転写しにくい表面平滑性に優れた織物、また原料に含まれる余分な水分を十分且つ均一に脱水するための脱水性、過酷な環境下でも好適に使用できる程度の剛性、耐摩耗性、そして良好な紙を製造するために必要な条件を長期間持続することが要求されている。その他にも繊維支持性、製紙の歩留まりの向上、寸法安定性、走行安定性等が要求される。さらに近年では抄紙マシンの高速化に伴い、抄紙用織物への要求特性も一段と厳しいものとなっている。【０００３】
ここで、工業用織物の中でも最も要求が厳しい抄紙用織物について説明すれば、ほとんどの工業用織物の要求とその解決について理解することができる。そこで、抄紙用織物を一例に挙げて以下に説明する。
近年ではマシンの高速化に伴い、特に優れた脱水性、表面平滑性が要求されている。マシンや抄造物によって求められる脱水特性は異なっているが、どんな抄造物であっても均一な脱水性、繊維支持性は必須条件である。また、近年では微細繊維が多く混在する故紙の利用も増えたため、繊維支持性が重要視されると共に、微細繊維によるシート形成では脱水性が低下するため脱水性に優れた織物も要求されていた。
一般的に製紙用織物では、織物の網目を利用して遠心、プレス脱水等が行われているが、十分な脱水性を得るために網の裏面から吸引脱水もされており、繊維支持性、脱水性といった要求特性が操業性やランニングコストに大きな影響を与えている。【０００４】
かかる工業用二層織物における表面平滑性を向上させる方法としては、上面側経糸と上面側緯糸の線径を細くして、かつ、糸の本数を多くした方が良いことが知られている。
他方、耐摩耗性を向上させるため、装置と接触する走行側に配置される下面側緯糸を太くすることが知られている。しかし、下面側緯糸を太くすることによって、下面側経糸に対して下面側緯糸が太くなりすぎ、下面側織物層のバランスが悪くなることが知られている。
ここで、下面側織物を構成する下面側経糸と下面側緯糸の２種類の糸の線径を、相対する上面側経糸と上面側緯糸の線径に比較して太く構成する工業用織物が開発されている（特許文献１）。かかる工業用織物を使用することによって、耐摩耗性の問題は解決するとも考えられる。【０００５】
しかし、特許文献１に開示された工業用織物は、緯糸により上面側織物層と下面側織物層を接結するものである。従って、工業用二層織物を経糸によって接結した場合における問題点については考慮されていない。仮に特許文献１に開示された工業用織物のうち、下面側織物を構成する糸のみの線径を太くし、かつ、経糸によって接結した場合、織物の表面に線径の細い経糸と、下面側から上面側緯糸を織り込む線径の太い経糸とが混在することになる。そのため、上面側織物における経糸による凹凸が発生し、表面平滑性に悪影響を及ぼすことになる。
更に、比較的太い下面側緯糸を織り込む接結糸である経糸が、走行面側で摩耗することにより、経時的に切断される危険性がある。経糸は緯糸に比較して、高テンションであることから、経糸の切断は織物の破断に直結するため、織物の寿命が短くなってしまうという問題点が考えられる。
そこで本発明は、下面側織物側における糸の線径を上面側織物側における糸の線径よりも太くするものでありながら、表面性の悪化や、織物の短寿命といった従来技術の問題点を解決するためになされたものである。
【先行技術文献】
【特許文献】
【０００６】
【特許文献１】ＷＯ２０１４／２０２２７７号公報
【発明の概要】
【発明が解決しようとする課題】
【０００７】
本発明は、耐摩耗性を向上させ、表面平滑性及びマーキング特性を向上させると共に、経糸と緯糸のバランスを調整することにより、長寿命の工業用二層織物を提供することを目的とする。
【課題を解決するための手段】
【０００８】
本発明者は、上記課題を解決するために以下の構成を採用した。
（１）上面側経糸と上面側緯糸とからなる上面側織物と、下面側経糸と下面側緯糸とからなる下面側織物とを接結糸によって接合する工業用織物において、前記上面側経糸の線径は全て同一であり、前記下面側経糸の線径は全て同一であり、更に前記上面側経糸より下面側経糸の線径が大きく、前記上面側経糸のうち少なくとも一本以上が前記下面側緯糸と織り合うことにより前記上面側織物と下面側織物を接合する接結糸を構成することを特徴とする工業用二層織物である。【０００９】
ここで、上面側経糸より下面側経糸の線径を大きく構成することにより、下面側経糸の線径が小さいものに比較してバランスの良い二層織物となる。特に耐摩耗性を向上させるために、下面側緯糸の線径を上面側緯糸の線径より大きくした場合に、二層織物のバランスを向上させることができる。また、下面側経糸の線径を大きく構成することにより、摩耗による経糸の切断を軽減することができ、長寿命の二層織物を提供することができる。
また、接結糸として下面側経糸を使用せず、上面側経糸のみを使用することにより、表面性の悪化を防止することができる。特に本発明は、上面側経糸を接結糸として採用したことに加えて、上面側経糸の線径を全て同一に形成するとともに、下面側経糸の線径を全て同一に形成することによって、上面側織物に線径の異なる経糸が混在して現われることがなくなるため、表面性の悪化を防止し、表面平滑性及びマーキング特性を向上させることができる。【００１０】
（２）前記上面側経糸と下面側経糸の線径が、
［数１］
下面側経糸の線径（φ）／上面側経糸の線径（φ）＝１＜φ≦２
であることを特徴とする上記（１）に記載された工業用二層織物である。
ここで下面側経糸の線径／上面側経糸の線径が１以下の場合は、耐摩耗性が従来の織物に比較して向上しない。下面側経糸の線径／上面側経糸の線径が２を超えた場合、上面側の経糸密度が小さくなり過ぎるため、上面側織物における表面性の悪化につながるからである。  
上記観点から本発明においてより好ましくは、下面側経糸の線径／上面側経糸の線径が１．２〜１．５の範囲である。【００１１】
（３）前記下面側経糸と下面側緯糸が、以下の数式の範囲内における線径差を有することを特徴とする上記（１）又は（２）に記載された工業用二層織物である。
［数２］
下面側緯糸の線径（φ）／下面側経糸の線径（φ）＝１＜φ≦２．５
ここで下面側緯糸の線径／上面側経糸の線径が１以下の場合は、耐摩耗性の観点から品質が低下する。又、下面側緯糸の線径／下面側経糸の線径が２．５を超えると、下面側経糸に対して下面側緯糸の線径が大きくなり過ぎるため、下面側織物のバランスが崩れ、結果的に二層織物全体の物性の低下につながることが予想されるからである。
上記観点から本発明においてより好ましくは、下面側緯糸の線径／下面側経糸の線径が１．２〜２．３の範囲である。
【発明の効果】
【００１２】
本発明に係る工業用二層織物を採用することによって、耐摩耗性が向上し、又、表面平滑性及びマーキング特性が向上し、更に工業用二層織物を高寿命化させる優れた効果を奏する。
【図面の簡単な説明】
【００１３】
【図１】本発明の実施形態１に係る工業用二層織物に関する意匠図である。
【図２】本発明の実施形態１に係る工業用織物に関する糸の構成を示す縦断面図である。
【発明を実施するための最良の形態】
【００１４】
以下、本発明の工業用織物に係る実施形態の一例を説明する。なお、以下に示す実施形態は、本発明の例示であるため、以下に記載されていない実施形態であっても本発明の範囲に属する場合がある。
本実施形態に係る工業用二層織物は、上面側経糸と上面側緯糸とからなる上面側織物と、下面側経糸と下面側緯糸とからなる下面側織物とを接結糸によって接合され構成されている。【００１５】
本発明に係る織物に使用される経糸及び緯糸は用途によって選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらを撚り合わせる等して組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ポリアミド、ポリフェニレンサルファイド、ポリフッ化ビニリデン、ポリプロピレン、アラミド、ポリエーテルエーテルケトン、ポリエチレンナフタレート、ポリテトラフルオロエチレン、綿、ウール、金属等が使用できる。もちろん、共重合体やブレンド品、さらにこれらの材質に目的に応じてさまざまな物質を含有させた糸を使用しても良い。【００１６】
本発明に係る織物に使用される上面側経糸の線径は全て同一である。また、下面側経糸の線径は全て同一である。更に上面側経糸より下面側経糸の線径が大きく、上面側経糸のうち少なくとも一本以上が下面側緯糸と織り合うことにより工業用織物を形成している。
下面側緯糸の線径を上面側緯糸の線径より大きくした場合に、二層織物のバランスを向上させることができる。また、下面側経糸の線径を大きく構成することにより、摩耗による経糸の切断を軽減することができ、長寿命の二層織物を提供することができる。
また、接結糸として下面側経糸を使用せず、上面側経糸のみを使用することにより、表面性の悪化を防止することができる。特に本発明は、上面側経糸を接結糸として採用したことに加えて、上面側経糸の線径を全て同一に形成するとともに、下面側経糸の線径を全て同一に形成することによって、上面側織物に線径の異なる経糸が混在して現われることがなくなるため、表面性の悪化を防止し、表面平滑性及びマーキング特性を向上させることができる。【００１７】
以下、本発明に係る実施形態１について図面を参照して説明する。
図１は、本発明の実施形態１に係る工業用織物に関する意匠図である。又、図２は本発明の実施形態１に係る工業用織物に関する糸の構成を示す縦断面図である。
ここで意匠図とは、織物組織の最小の繰り返し単位（完全組織ともいう）であって、この完全組織が上下左右に繋織されて織物全体の組織が形成される。又、縦断面図とは、完全組織における経糸の織り合せ状態を示す図である。意匠図において、経糸はアラビア数字、例えば１，２，３・・・で示した。また上下緯糸を織り合わせる経糸接結糸はｂを付した数字、上面側経糸はＵを付した数字、下面側経糸はＬを付した数字で表した。意匠図中、同番号の経糸はそれぞれ組を形成していることを表し、図１においては上面側経糸Ｕと下面側経糸Ｌ、上面側経糸Ｕｂと下面側経糸Ｌとで組を形成している。
緯糸はダッシュを付したアラビア数字、例えば１’，２’，３’・・・で示した。緯糸の配置比率によって上面側緯糸と下面側緯糸が上下に配置されている場合と上面側緯糸のみの場合があり、上面側緯糸はＵを付した数字、下面側緯糸はＬを付した数字で示し、例えば１’Ｕ，１’Ｌ等と示した。【００１８】
意匠図中、□は下面側経糸（Ｌ）が下面側緯糸の下側に位置してナックルを形成していることを示し、○は上面側経糸（Ｕ）が上面側緯糸の上側に位置してナックルを形成していることを示し、△は接結糸として機能する上面側経糸（Ｕｂ）が下面側緯糸の下側に位置してナックルを形成していることを示す。すなわち上面側織物と下面側織物とを接結している箇所を表している。
また意匠図では、糸が上下に正確に重なって配置されることになっているが、これは図面の都合上であって実際の織物ではずれて配置されていることがある。【００１９】
実施形態１
図１及び図２は、本発明の実施形態１に係る工業用織物を説明するための意匠図及び断面図である。
図１及び図２に示す如く、本実施形態１に係る工業用織物は、上面側経糸（１Ｕ〜８Ｕ）と、下面側経糸（１Ｌ〜８Ｌ）とを有し、接結糸として機能する上面側経糸１Ｕｂ、５Ｕｂを有する。ここで上面側経糸（１Ｕ〜８Ｕ）の線径は、接結糸として機能する上面側経糸１Ｕ及び５Ｕｂを含めて全て同一である。また、下面側経糸（１Ｌ〜８Ｌ）の線径は全て同一である。【００２０】
本実施形態１に係る工業用織物は、図２に示す如く、上面側経糸（１Ｌ〜８Ｌ）より下面側経糸（１Ｌ〜８Ｌ）の線径が大きい点にも特徴を有している。このような構成を採用することによって、摩耗による経糸の切断を軽減することができ、長寿命の二層織物を提供することができる。
また、本実施形態１に係る工業用織物は、図１及び図２に示す如く、上面側緯糸（１’Ｕ〜１６’Ｕ）と、下面側緯糸（１’Ｌ、３’Ｌ，５’Ｌ，７’Ｌ，９’Ｌ，１１’，１３’，１５’）からなる１６シャフトの織物である。
上面側緯糸（１’Ｕ、２’Ｕ・・・）と下面側緯糸（１’Ｌ、３’Ｌ・・・）の配置比率は２：１である。【００２１】
本実施形態１において、図２に示す如く、上面側経糸２Ｕ，３Ｕ，４Ｕ，６Ｕ、７Ｕ，８Ｕは、３本の上面側緯糸の下を通り、１本の上面側緯糸の上を通っている。また、接結糸として機能する上面側経糸１Ｕｂは、下面側緯糸１’Ｕの上を通って下面側へ向かい３’Ｌの下を通って、再び上面側へ向かい、上面側緯糸５’Ｕの上を通って上面側織物と下面側織物とを接結した後、上面側緯糸６’Ｕ〜８’Ｕの下を通った後、上面側緯糸９’Ｕの上を通り、上面側緯糸１０’Ｕ〜１２’Ｕの下を通った後に、上面側緯糸１３’Ｕの上を通り、上面側緯糸１４’Ｕ〜１６’Ｕの下を通っている。【００２２】
更に本実施形態１において、図２に示す如く、接結糸として機能する上面側経糸５Ｕｂは、上面側緯糸１’Ｕの上を通った後に、上面側緯糸２’Ｕ〜４’Ｕの下を通り、上面側緯糸５’Ｕの上を通った後に、上面側緯糸６’Ｕ〜８’Ｕの下を通り、下面側緯糸９’Ｕの上を通って下面側へ向かい１１’Ｌの下を通って、再び上面側へ向かい、上面側緯糸１３’Ｕの上を通って上面側織物と下面側織物とを接結した後、上面側緯糸４’Ｕ〜１６’Ｕの下を通っている。
本実施形態１に係る工業用織物は、このような構成を採用することによって、図２に示す如く、上面側織物に線径の異なる経糸が混在して現われることがなくなる。そのため、表面性の悪化を防止し、表面平滑性及びマーキング特性を向上させることができる。
【符号の説明】
【００２３】
１Ｕｂ，５Ｕｂ  接結糸として機能する上面側経糸
２〜４Ｕ，６〜８Ｕ  上面側経糸
１Ｌ〜８Ｌ  下面側経糸
１’Ｕ〜１６Ｕ’  上面側緯糸
１’Ｌ，３’Ｌ，５’Ｌ，７’Ｌ，９’Ｌ，１１’Ｌ，１３’Ｌ，１５’Ｌ  下面側緯糸
【図１】
2018047217.tif 000003
【図２】
2018047217.tif 000004
【国際調査報告】
2018047217.tif 000005
2018047217.tif 000006
2018047217.tif 000007
2018047217.tif 000008